(57)【要約】【課題】  ドアパネルに設けた開口部の周囲に窓枠を設け、該窓枠にてガラス板を保持してなるドア窓の取付装置において、部品点数を低減するとともに、施工が容易でコスト低減化を図ることができ、また窓枠とガラス板の境界に異質な緩衝部材やパッキンが存在せず、意匠的にスッキリ感を呈するドア窓の取付装置を提供する。【解決手段】  窓枠３は本体枠５と該本体枠に装着する内枠６とからなり、ガラス板４の周縁部を本体枠に両面テープ７で装着するとともに、該ガラス板が本体枠及び内枠に接触しないように保持した。本体枠５の内側でガラス板４に沿って鍔部１６を内向きに突設するとともに、内枠６にもガラス板４に沿って鍔部２０を内向きに突設し、ガラス板の表面と本体枠の鍔部及び内枠の鍔部との間に所定間隙Ｇを設けた。【選択図】        図４
2014025250.tif 000002
【特許請求の範囲】
【請求項１】
ドアパネルに設けた開口部の周囲に窓枠を設け、該窓枠にてガラス板を保持してなるドア窓の取付装置であって、前記窓枠は本体枠と該本体枠に装着する内枠とからなり、前記ガラス板の周縁部を本体枠に両面テープで装着して、該ガラス板を前記本体枠及び内枠に接触しないように保持したことを特徴とするドア窓の取付装置。
【請求項２】
前記ガラス板の周縁部と前記内枠との間に全く何も無い間隙を設けてなる請求項１記載のドア窓の取付装置。
【請求項３】
前記本体枠の内側で前記ガラス板に沿って鍔部を内向きに突設するとともに、前記内枠にも前記ガラス板に沿って鍔部を内向きに突設し、前記ガラス板の表面と本体枠の鍔部及び内枠の鍔部との間に所定間隙を設けてなる請求項１又は２記載のドア窓の取付装置。
【請求項４】
前記窓枠はアルミ押出し型材からなる本体枠と該本体枠に装着する内枠とからなり、それぞれ型材をＬ金具を用いて四角形に枠組みされ、前記ドアパネルに設けた四角形の開口部に前記本体枠を嵌合するとともに、該本体枠の外側端に外向きに突設した保持片で前記ドアパネルの開口部の表面側を当止し、それから反対側から前記内枠を前記本体枠の内側に嵌合するとともに、該内枠の外側端に外向きに突設した保持片で前記ドアパネルの開口部の裏面側を当止し、該内枠と本体枠をネジで締結してなる請求項１〜３何れか１項に記載のドア窓の取付装置。
【請求項５】
前記本体枠は、前記保持片を設けた縁部と該縁部に対して段落ちした連結部を有し、前記縁部と連結部の境に前記ガラス板を取付ける両面テープの装着面を有し、該装着面より内側に前記鍔部を形成し、前記内枠は前記本体枠の縁部と外形が同形状であり、前記本体枠の連結部の先端を受け入れる係合溝を内部に有し、該内枠を前記連結部にネジで締結してなる請求項４記載のドア窓の取付装置。
【発明の詳細な説明】
【技術分野】
【０００１】
本発明は、ドア窓の取付装置に係わり、更に詳しくはドアの一部に設けた覗き窓若しくは明り取り窓の取付装置に関するものである。
【背景技術】
【０００２】
従来から、ドアパネルに設けた開口部の周囲に窓枠を設け、該窓枠にてガラス板を保持してなるドア窓の取付装置は各種提供されている。
【０００３】
窓枠にガラス板を保持する構造としては、特許文献１〜３に示されているように、表裏の枠体を組み合わせて緩衝部材やパッキンを介在させて両枠体間にガラス板を弾性的に保持するものが一般的である。
【０００４】
しかし、ガラス板の周囲を緩衝部材やパッキンを介在させて両枠体間に保持する構造のものは、部品点数が多くなりコスト高となるばかりでなく、窓枠とガラス板の境界に異質な緩衝部材やパッキンが必然的に存在し、意匠的にスッキリ感がなくなる。
【先行技術文献】
【特許文献】
【０００５】
【特許文献１】実公平１−４４７１４号公報
【特許文献２】特開２０００−２４０３６１号公報
【特許文献３】特開２００７−２８４９９３号公報
【発明の概要】
【発明が解決しようとする課題】
【０００６】
そこで、本発明が前述の状況に鑑み、解決しようとするところは、ドアパネルに設けた開口部の周囲に窓枠を設け、該窓枠にてガラス板を保持してなるドア窓の取付装置において、部品点数を低減するとともに、施工が容易でコスト低減化を図ることができ、また窓枠とガラス板の境界に異質な緩衝部材やパッキンが存在せず、意匠的にスッキリ感を呈するドア窓の取付装置を提供する点にある。
【課題を解決するための手段】
【０００７】
本発明は、前述の課題解決のために、ドアパネルに設けた開口部の周囲に窓枠を設け、該窓枠にてガラス板を保持してなるドア窓の取付装置であって、前記窓枠は本体枠と該本体枠に装着する内枠とからなり、前記ガラス板の周縁部を本体枠に両面テープで装着して、該ガラス板を前記本体枠及び内枠に接触しないように保持したことを特徴とするドア窓の取付装置を構成した（請求項１）。
【０００８】
ここで、前記ガラス板の周縁部と前記内枠との間に全く何も無い間隙を設けてなることが好ましい（請求項２）。
【０００９】
具体的には、前記本体枠の内側で前記ガラス板に沿って鍔部を内向きに突設するとともに、前記内枠にも前記ガラス板に沿って鍔部を内向きに突設し、前記ガラス板の表面と本体枠の鍔部及び内枠の鍔部との間に所定間隙を設けてなることがより好ましい（請求項３）
【００１０】
具体的には、前記窓枠はアルミ押出し型材からなる本体枠と該本体枠に装着する内枠とからなり、それぞれ型材をＬ金具を用いて四角形に枠組みされ、前記ドアパネルに設けた四角形の開口部に前記本体枠を嵌合するとともに、該本体枠の外側端に外向きに突設した保持片で前記ドアパネルの開口部の表面側を当止し、それから反対側から前記内枠を前記本体枠の内側に嵌合するとともに、該内枠の外側端に外向きに突設した保持片で前記ドアパネルの開口部の裏面側を当止し、該内枠と本体枠をネジで締結してなる（請求項４）。
【００１１】
更に、前記本体枠は、前記保持片を設けた縁部と該縁部に対して段落ちした連結部を有し、前記縁部と連結部の境に前記ガラス板を取付ける両面テープの装着面を有し、該装着面より内側に前記鍔部を形成し、前記内枠は前記本体枠の縁部と外形が同形状であり、前記本体枠の連結部の先端を受け入れる係合溝を内部に有し、該内枠を前記連結部にネジで締結してなる（請求項５）。
【発明の効果】
【００１２】
以上にしてなる請求項１に係る発明のドア窓の取付装置は、ドアパネルに設けた開口部の周囲に窓枠を設け、該窓枠にてガラス板を保持してなるドア窓の取付装置であって、前記窓枠は本体枠と該本体枠に装着する内枠とからなり、前記ガラス板の周縁部を本体枠に両面テープで装着して、該ガラス板を前記本体枠及び内枠に接触しないように保持したので、緩衝部材やパッキンを用いずにガラス板を窓枠に保持することができ、部品点数が最小限に少なくなるのでコスト低減化を図ることができ、本体枠と内枠に対してガラス板が接触しないので、擦れて異音を発生することもなく、外観的にも窓枠とガラス板の境界に何も存在しないのでスッキリとしたものになる。
【００１３】
請求項２によれば、前記ガラス板の周縁部と前記内枠との間に全く何も無い間隙を設けてなるので、その隙間部分が暗く見えるのでシャープに縁取りしたような外観となり、外観性の向上が図れる。
【００１４】
請求項３によれば、前記本体枠の内側で前記ガラス板に沿って鍔部を内向きに突設するとともに、前記内枠にも前記ガラス板に沿って鍔部を内向きに突設し、前記ガラス板の表面と本体枠の鍔部及び内枠の鍔部との間に所定間隙を設けてなるので、前記鍔部によって両面テープを見え難くすることができ、またガラス板と鍔部の間に所定間隙を有するので、その隙間部分が暗く見えるのでシャープに縁取りしたような外観となり、外観性の向上も期待できる。
【００１５】
請求項４によれば、前記窓枠はアルミ押出し型材からなる本体枠と該本体枠に装着する内枠とからなり、それぞれ型材をＬ金具を用いて四角形に枠組みされ、前記ドアパネルに設けた四角形の開口部に前記本体枠を嵌合するとともに、該本体枠の外側端に外向きに突設した保持片で前記ドアパネルの開口部の表面側を当止し、それから反対側から前記内枠を前記本体枠の内側に嵌合するとともに、該内枠の外側端に外向きに突設した保持片で前記ドアパネルの開口部の裏面側を当止し、該内枠と本体枠をネジで締結してなるので、ドアパネルの開口部の表裏から、ガラス板を両面テープで保持した本体枠と内枠を嵌合し、両者をネジで締結するだけで、簡単且つ強固に取付けることができ、窓枠の取付状態では、本体枠の保持片と内枠の保持片でドアパネルの開口部の周囲部を表裏から挟み込むので、開口部は切りっ放しの状態でも切断縁が隠れ安全である。
【００１６】
請求項５によれば、前記本体枠は、前記保持片を設けた縁部と該縁部に対して段落ちした連結部を有し、前記縁部と連結部の境に前記ガラス板を取付ける両面テープの装着面を有し、該装着面より内側に前記鍔部を形成し、前記内枠は前記本体枠の縁部と外形が同形状であり、前記本体枠の連結部の先端を受け入れる係合溝を内部に有し、該内枠を前記連結部にネジで締結してなるので、本体枠の縁部と連結部の境に設けた装着面に両面テープを貼着し、それにガラス板の周縁部を貼り合わせることにより、簡単に本体枠にガラス板を保持することができ、本体枠の連結部の先端を内枠の係合溝に受け入れた状態で、内枠を連結部にネジ止めすることにより、あたかも一体となった窓枠の中心部にガラス板が保持され、また外観性においても表裏対称な形態となる。
【図面の簡単な説明】
【００１７】
【図１】本発明に係るドア窓の取付装置を適用した窓付きドアとその周囲構造を示す部分正面図である。
【図２】同じく一部省略した部分縦断面図である。
【図３】同じく一部省略した部分横断面図である。
【図４】同じく一部省略した部分拡大横断面図である。
【図５】ドア窓の一部を示し、（ａ）拡大横断面図、（ｂ）は拡大斜視図である。
【図６】ドア窓の分解横断面図である。
【図７】ドア窓の組み立て手順を示し、（ａ）は本体枠の断面図、（ｂ）は本体枠にガラス板を装着した状態の断面図、（ｃ）本体枠の連結部に内枠を嵌合した状態の断面図、（ｄ）は本体枠に内枠をネジ止めした状態の断面図である。
【図８】窓付きドアの他の形態を示す部分正面図である。
【発明を実施するための形態】
【００１８】
次に、添付図面に示した実施形態に基づき、本発明を更に詳細に説明する。図１〜図３は本発明に係るドア窓の取付装置を適用した窓付きドアを示し、図４〜図７は本発明の詳細を示し、図中符号１はドアパネル、２は開口部、３は窓枠、４はガラス板、５は本体枠、６は内枠、７は両面テープをそれぞれ示している。
【００１９】
本発明は、ドアパネル１に設けた開口部２の周囲に窓枠３を設け、該窓枠３にてガラス板４を保持してなるドア窓の取付装置であって、前記窓枠３は本体枠５と該本体枠５に装着する内枠６とからなり、前記ガラス板４の周縁部を本体枠５に両面テープ７で装着するとともに、該ガラス板４が本体枠５及び内枠６に接触しないように保持したことを特徴とする。両面テープ７は両面が粘着面となっているものであり、保護シートを剥がして貼着する。
【００２０】
前記ドアパネル１は、表裏のスチール製表面板８，８の間にペーパーハニカム９を挟んで接合した簡単な構造の軽量パネルであり、前記開口部２は表面板をプレス加工して四角形に開口したものである。
【００２１】
前記窓枠３は、アルミ押出し型材からなる本体枠５と該本体枠５に装着する内枠６とからなり、それぞれ型材の端部を４５度に切断し、Ｌ金具１０，…を用いて四角形に枠組みされている。前記本体枠５と内枠６にはＬ金具１０を嵌入する嵌合部１１がそれぞれ形成されている。
【００２２】
更に詳しくは、前記本体枠５は、図４〜図６に示すように、外側端に外向きに保持片１２を突設し、前記開口部２に前記本体枠５を嵌合した際に、該保持片１２で前記ドアパネル１の開口部２の周囲の表面側を当止できるようになっている。更に、前記本体枠５は、前記保持片１２を設けた化粧面となる縁部１３と該縁部１３に対して段落ちした後、前記開口部２の内面に沿って反対側まで延びる連結部１４を有し、前記縁部１３と連結部１４の境に前記ガラス板４を取付ける両面テープ７の装着面１５を有し、該装着面１５より内側に前記ガラス板４に沿って鍔部１６を内向きに突設している。
【００２３】
前記内枠６は、前記本体枠５の縁部１３と外形が同形状であり、前記本体枠５の連結部１４の先端１７を受け入れる係合溝１８を内部に有し、外側端に外向きに保持片１９を突設し、前記開口部２に装着した際に、該保持片１９で前記ドアパネル１の開口部２の周囲の裏面側を当止できるようになっている。更に、前記内枠６は、前記ガラス板４に沿って鍔部２０を内向きに突設している。また、前記内枠６には、本体枠５にネジ２１にて締結するために座ぐり孔２２，…を１辺につき二箇所以上穿設している。
【００２４】
本発明のドア窓の取付装置の施工手順を図５〜図７に基づいて説明する。先ず、アルミ押出し型材を所定長さに切断し、４５度の切断面を前記Ｌ金具１０を嵌合部１１に嵌合しながら接合し、前記本体枠５と内枠６をそれぞれ枠組み形成する。それから、前記本体枠５の装着面１５に両面テープ７を貼着する（図７（ａ）参照）。前記本体枠５の両面テープ７に前記ガラス板４の周縁部を貼着し、その状態で前記ドアパネル１に設けた四角形の開口部２に前記本体枠５を嵌合するとともに、該本体枠５の外側端に外向きに突設した保持片１２で前記ドアパネル１の開口部２の周囲の表面側を当止する（図７（ｂ）参照）。それから反対側から前記内枠６を前記本体枠５の内側に嵌合するとともに、該内枠６の外側端に外向きに突設した保持片１９で前記ドアパネル１の開口部２の周囲の裏面側を当止し、この際に前記本体枠５の連結部１４の先端１７を前記内枠６の係合溝１８に受け入れ、確実に嵌合させる（図７（ｃ）参照）。最後に、前記内枠６に設けた座ぐり孔２２，…にネジ２１を挿入し、本体枠５の連結部１４に締結する（図７（ｄ）参照）。ここで、ネジ２１はタッピンネジを用い、前記本体枠５の連結部１４に小径の下穴２３，…を穿設しておき、タッピンネジを下穴２３に螺合する。
【００２５】
図５に拡大して示すように、前記本体枠５の内側で前記ガラス板４に沿って鍔部１６を内向きに突設するとともに、前記内枠６にも前記ガラス板４に沿って鍔部２０を内向きに突設し、前記ガラス板４の表面と本体枠５の鍔部１６及び内枠６の鍔部２０との間に所定間隙Ｇを設けている。この間隙Ｇを設けることにより、アルミ製の窓枠３とガラス板４が接触することがなく、擦れ音が発生することがない。また、本体枠５と内枠６の内側に延びた鍔部１６，２０によって両面テープ７を見え難くすることができるのである。
【００２６】
本発明のドア窓の取付装置では、前記ガラス板４の下端を下側の本体枠５の連結部１４に当止部材２４を介して載支する以外、前記ガラス板４は前記両面テープ７のみで本体枠５の装着面１５に貼着されており、本体枠５のその他の部位や内枠６に一切接触しないように支持されている。
【符号の説明】
【００２７】
１  ドアパネル
２  開口部
３  窓枠
４  ガラス板
５  本体枠
６  内枠
７  両面テープ
８  表面板
９  ペーパーハニカム
１０  Ｌ金具
１１  嵌合部
１２  保持片
１３  縁部
１４  連結部
１５  装着面
１６  鍔部
１７  先端
１８  係合溝
１９  保持片
２０  鍔部
２１  ネジ
２２  座ぐり孔
２３  下穴
２４  当止部材
Ｇ  間隙
【図１】
2014025250.tif 000003
【図２】
2014025250.tif 000004
【図３】
2014025250.tif 000005
【図４】
2014025250.tif 000006
【図５】
2014025250.tif 000007
【図６】
2014025250.tif 000008
【図７】
2014025250.tif 000009
【図８】
2014025250.tif 000010